(57)【要約】      （修正有）【課題】金網フェンスへの片面組付けと両面組付けとが選択的に行えるようにし、かつ着脱自在に組付け取着した状態で常設しておくことができ、プレート看板も、その要・不要に応じて看板装着装置への抜き差し操作で容易に着脱できるようにし、短期間で変更される看板を掲示できる掲示板としての機能を兼ね備えた看板装着装置を提供する。【解決手段】看板装着装置２を、パネル部材２１に案内溝２２ａを形成する側枠部材２２、２２と下枠部材２３とを備えて構成させ、金網フェンス１への片面組付け時には取付けプレート２４を配設し、両面組付け時にはパネル部材２１同士を背反して配設せして、それぞれを金網フェンス１を挟んで挿通されるボルト止め操作によりフェンス面に着脱自在に圧接挟持させ、プレート看板を、上方から案内溝２２ａに沿って差し込み挿入して抜け止め固定する。【選択図】図１
2016099530.tif 000002
【特許請求の範囲】
【請求項１】
金網、格子等の透かし空間をもって形成されたフェンスに取り付けられて、プレート看板を着脱可能に装着するための看板装着装置であって、
該看板装着装置は、フェンス面に面当てされるパネル部材と、該パネル部材の両側端部および下端部にそれぞれ取着された側枠部材と下枠部材とを備え、
前記側枠部材は、前記パネル部材に取着される固定片と、前記パネル部材との間に案内溝を形成するよう前記固定片からＬ字状に折曲されて、前記プレート看板を挿入案内する案内片とによって一体に形成されると共に、
前記看板装着装置を、フェンスの片面に組付け取着する際には、その背面側に取付けプレートを配設し、または、フェンスの両面に組付け取着する際には、パネル部材同士を背反して配設せしめて、それぞれをフェンスを挟んで挿通されるボルト止め操作によりフェンス面に着脱自在に圧接挟持させて、フェンスの片面または両面に対して選択的に組付け取着可能に構成する一方、
前記プレート看板を、当該フェンスに取着された看板装着装置に対して、その上方から前記案内溝に沿って差し込み挿入し、前記側枠部材と下枠部材とによりその端縁部を支持した状態でセットせしめ、かつ、その上部側を前記パネル部材に抜け止め固定手段を介して装着せしめて、該抜け止め固定手段の脱離操作によって着脱自在に構成してあることを特徴とするフェンスのプレート看板装着装置。
【請求項２】
請求項１において、前記パネル部材には、前記プレート看板を前記案内溝に沿って差し込み挿入する際に、パネル部材表面と隙間をもって挿入案内する凸部が複数設けられていることを特徴とするフェンスのプレート看板装着装置。
【請求項３】
請求項１または２において、前記案内片には、前記案内溝内に挿入された前記プレート看板の端縁部を、案内片の裏面部から離間した状態で当接支持するよう内方に折曲せしめた支持片が形成されていることを特徴とするフェンスのプレート看板装着装置。
【請求項４】
請求項１乃至３の何れかにおいて、前記プレート看板は、前記抜け止め固定手段をプッシュリベットとし、該プッシュリベットを挿着することにより抜け止め固定して装着せしめ、取り外しによる脱離操作によって着脱可能に構成せしめたことを特徴とするフェンスのプレート看板装着装置。
【請求項５】
請求項１乃至４の何れかにおいて、前記パネル部材には、その中央面域に前記取付けプレートを取着するための片面用ボルト挿通孔と、前記側枠部材の固定片に看板装着装置２を背反して配設するための両面用ボルト挿通孔とが複数穿設される共に、前記片面用ボルト挿通孔の上部側に前記プレート看板を抜け止め固定するためのビス孔が穿設されていることを特徴とするフェンスのプレート看板装着装置。
【請求項６】
請求項１乃至５の何れかにおいて、前記パネル部材と取付けプレート、または、背反されるパネル部材同士は、パネル部材から挿入される連結ボルトに対して、蝶ナットの締め付け操作で、それぞれフェンス面に圧接挟持させて組付け取着されていることを特徴とするフェンスのプレート看板装着装置。
【請求項７】
請求項６において、前記パネル部材の表面に形成される凸部は、前記連結ボルトの頭部であることを特徴とするフェンスのプレート看板装着装置。
【発明の詳細な説明】
【技術分野】
【０００１】
本発明は、施設、場所、案内、地図、広告等のサインが表示されたプレート看板を、金網、ワイヤー、メッシュ等のフェンスや、アルミ型材等の格子フェンスといった各種フェンスに取り付けするためのフェンスのプレート看板装着装置に関する。
【背景技術】
【０００２】
一般に、この種のプレート看板は、金網フェンスや格子フェンス等に取り付ける際、四隅に孔を開け、フェンスの透かし空間を利用して、金網や格子に針金で括り付けて直接取り付けられるなどされているが、公園や駐車場などのフェンスには、人目の付く略目線位置となる高さに取り付けられるため、必然的に括り付けた針金も目立ってしまい、外観上の見栄えが悪いことなどから、柵やフェンスに看板を装着するための専用の装置が提案されている。
【０００３】
ところで従来、看板を装着するため装置として、道路等に設けられる柵への看板の取り付け取り外しが容易に行えるようにした特許文献１に開示されたものや、金網フェンスへの看板の取り付けが容易に行え、取り外しが難しいようにした特許文献２に開示されたものが知られている。
特許文献１のものは、図１に示されるように、円筒パイプによって柵の外周枠として形成された上下横架材（３）のそれぞれの外周に、蝶番（７）により連結された半円形の把持体（５）を両側から被せて、その内方側に形成されたブラケット（９）同士で看板の縁部を挟み込んでボルト止めする様にしたものである。
また、特許文献２のものは、図３、５、６に示されるように、雄雌の筒状のサイドキャップ（１８、１８）を用い、その組付け面となる開口側のそれぞれにフェンスの金網がクロスする部位に挿入できるように凹状スロット（２２）を形成し、雄のサイドキャップ（１８）を看板の裏面側にネジ止めして設け、金網フェンスの背面側から突出した雄のサイドキャップ（１８）に雌のサイドキャップ（１８）を叩き込み被嵌係合させて抜け止め固定する様にしたものである。
【０００４】
しかしながら、特許文献１のものではネジ止め／ネジ外しにより看板表示の要・不要に応じて把持体（５）を着脱できるが、金網フェンスに用いることはできず、また、特許文献２のものではサイドキャップ（１８）の取り外しが困難であるばかりか、金網フェンスの片面のみにしか採用することができず、しかも、他の格子フェンスなどへの採用ができないという欠点を有している。さらに、これらのものは何れも、フェンスの金網や上下枠に看板を針金で括り付けて取り付けるものに比し、その代用として見栄えの悪さは改善できるものの、柵やフェンスに対して看板自体を直接取付けて、不使用時には取り外す方法と何ら変わりなく、特に、短期間で交換されるようなお知らせ情報や案内情報等のサインが表示されたプレート看板にあっては、その着脱作業が煩わしいものとなり、その様なプレート看板の着脱掲示するものとしては、その掲示の自由度が無く不向きであるだけでなく、風雨等によって取り外した部分に傷跡が残ってしまうなどの問題を有していた。そのため、短期間で変更される案内情報等のサインが表示されたプレート看板を容易に着脱し、掲示できるような機能をも兼ね備えた看板装着装置の出現が望まれていた。
【先行技術文献】
【特許文献】
【０００５】
【特許文献１】実登３０５６２０５号公報
【特許文献２】特表平０９−５０１４７６号公報
【発明の開示】
【発明が解決しようとする課題】
【０００６】
本発明は、上記の如き問題点を一掃すべく創案されたものであって、プレート看板を金網フェンスや格子フェンス等に取り付けするものでありながら、看板装着装置をフェンスの片面または両面に対して選択的に配置させて組付け取着した状態で常設しておくことができるだけでなく、看板装着装置自体の着脱も使用・不使用に応じて容易に行い得て、多種多様の透かし空間を有して形成されたフェンスへの採用を可能ならしめ、しかも、看板表示の要・不要に応じて上方からのプレート看板を抜き差し操作により容易に着脱できるようにして、長期間における装着は勿論、短期間で変更されるお知らせ情報や案内情報等のサインが表示されたプレート看板を掲示できる掲示板としての機能をも兼ね備えたフェンスのプレート看板装着装置を提供することを目的とする。
【課題を解決するための手段】
【０００７】
上記課題を解決するために本発明のフェンスのプレート看板装着装置は、金網、格子等の透かし空間をもって形成されたフェンスに取り付けられて、プレート看板を着脱可能に装着するための看板装着装置であって、該看板装着装置は、フェンス面に面当てされるパネル部材と、該パネル部材の両側端部および下端部にそれぞれ取着された側枠部材と下枠部材とを備え、前記側枠部材は、前記パネル部材に取着される固定片と、前記パネル部材との間に案内溝を形成するよう前記固定片からＬ字状に折曲されて、前記プレート看板を挿入案内する案内片とによって一体に形成されると共に、前記看板装着装置を、フェンスの片面に組付け取着する際には、その背面側に取付けプレートを配設し、または、フェンスの両面に組付け取着する際には、パネル部材同士を背反して配設せしめて、それぞれをフェンスを挟んで挿通されるボルト止め操作によりフェンス面に着脱自在に圧接挟持させて、フェンスの片面または両面に対して選択的に組付け取着可能に構成する一方、前記プレート看板を、当該フェンスに取着された看板装着装置に対して、その上方から前記案内溝に沿って差し込み挿入し、前記側枠部材と下枠部材とによりその端縁部を支持した状態でセットせしめ、かつ、その上部側を前記パネル部材に抜け止め固定手段を介して装着せしめて、該抜け止め固定手段の脱離操作によって着脱自在に構成してあることを特徴とするものである。
【発明の効果】
【０００８】
本発明は、プレート看板を金網フェンスや格子フェンス等に取り付けするものでありながら、看板装着装置を、フェンスへの片面組付けと背反する両面組付けとの選択的な配設パターンをもって、フェンスの透かし空間を利用して挿通される連結ボルトを介して、両者をフェンスの厚さ空間を挟んで離間した状態で、フェンス面に弾圧状に確りと圧接挟持させた強固な組付け取着を行い得て、看板装着装置を常設しておくことができるだけでなく、看板装着装置自体の着脱作業もボルトナットの締結／脱離操作により、容易かつ短時間で行え、要・不要に応じた着脱や位置変更をすることができ、金網やアルミ等によって透かし空間を有して形成された多種多様のフェンスへの汎用的な取り付けが可能となる。しかも、看板表示の要・不要に応じて、プレート看板を上方からの案内溝への抜き差し操作により容易に着脱することができ、長期間における装着は勿論、短期間で変更されるお知らせ情報や案内情報等の異なるサインが表示された種々のプレート看板を、容易に取り替え装着できる掲示板としての機能をも兼ね備え、さらに、セットされたプレート看板の３周端縁部が側枠部材と下枠部材とにより支持されているので、その上部側を抜け止め固定する抜け止め固定手段も、ネジ止め／外し操作によらないプッシュリベットなどの着脱容易な簡易型のものを採用でき、かつ、ガタツキが無く風雨などで外れてしまう危惧が払拭できると共に、看板を取り外した状態では、看板を装着できる場所であることを示す機能を併せ持つことができる。
【図面の簡単な説明】
【０００９】
【図１】本発明の実施形態にかかるフェンスのプレート看板装着装置の全体構成図であって、（Ａ）は正面図、（Ｂ）はフェンス片面への取付け状態を示す右側面図、（Ｃ）は同じく平面図、（Ｄ）は底面図である。
【図２】本発明の実施形態にかかるフェンスのプレート看板装着装置の全体構成図であって、（Ａ）はフェンス片面への取付け状態を示す背面図、（Ｂ）はその取付け状態とプレート看板を装着した状態を示す右側面図である。
【図３】フェンス片面への取付けした看板装着装置にプレート看板を装着した状態を示す要部拡大部分断面図であって、（Ａ）は水平断面図、（Ｂ）は縦断面図である。
【図４】フェンス両面への取付けした看板装着装置にプレート看板を装着した状態を示す要部拡大部分断面図であって、（Ａ）は水平断面図、（Ｂ）は縦断面図である。
【発明を実施するための最良の形態】
【００１０】
以下、本発明の実施の形態を好適な実施の形態として例示するフェンスのプレート看板装着装置を図面に基づいて詳細に説明する。図１の（Ａ）〜（Ｄ）、図２の（Ａ）〜（Ｂ）、および図３の（Ａ）〜（Ｂ）において、これら図に示すように、１は金網（ワイヤー、メッシュ、ネット等を含む）により形成された金網フェンスであって、該金網フェンス１は、棒状ワイヤー１１によつて縦横矩形状に所定間隔の透かし空間をもって網組みされ、図示しない所定筒状に折曲や湾曲するなどして形成された上胴縁と下胴縁を有して本体フェンスが成形され、両サイドが支柱に取り付けられて、駐車場や公園等に施工される。
【００１１】
図中、２は金網フェンス１に着脱可能に構成された看板装着装置であって、該看板装着装置２は、アルミ複合板にて形成されたパネル部材２１と、このパネル部材２１の両側端部および下端部にそれぞれ取着される側枠部材２２、２２と下枠部材２３とを備えて構成される。
パネル部材２１には、その中央面域の上下２個所に、金網フェンス１の方面に看板装着装置２を組付け取着する際に、パネル部材２１の裏面側に着脱自在に設けられる取付けプレート２４を取付けするための片面用ボルト挿通孔２１１、２１１が左右一対として上下に穿設され、金網フェンス１の両面に看板装着装置２を表裏一対として組付け取着するための両面用ボルト挿通孔２１２が、側枠部材２２と共にその上下２個所に穿設され、さらに、片面用ボルト挿通孔２１１の上部側にプレート看板３を抜け止め固定するためのビス孔２１３、２１３が左右一対として穿設されている。また、取付けプレート２４は、複数の縦列の棒状ワイヤー１１に跨って面当てされるよう横長の板状アルミニウム合金にて成形され、片面用ボルト挿通孔２１１、２１１の対応位置に左右一対として長孔２４１、２４１が穿設されている。
【００１２】
側枠部材２２は、パネル部材２１に取着される固定片２２１と、固定片２２１からＬ字状に折曲されて、プレート看板３の側端縁部を挿入案内するための案内片２２２とを備えてアルミ押出型材により一体成形されており、また、下枠部材２３は、側枠部材２２と同一形状に成形され、パネル部材２１への固定片２３１と、プレート看板３の下端部を受け止め支持する挿入片２３２とを備える。
側枠部材２２と下枠部材２３は、それぞれパネル部材２１に対して固定片２２１、２３１の複数個所をリベット４…によって一体的に取着することにより、パネル部材２１と案内片２２２との間に３．５ｍｍ幅の案内溝２２ａを形成し、パネル部材２１との間に同じく３．５ｍｍ幅の挿入溝２３ａを形成して、プレート看板３を上方から差し込み挿入してセットできるようになっている。
【００１３】
また、案内片２２２と挿入片２３２には、それぞれ内方に突出するよう折曲せしめた支持片２２３と２３３が形成されており、プレート看板３がそれぞれ案内溝２２ａと挿入溝２３ａ内に挿入セットする際に、プレート看板３の両側および下側の端縁部を、案内片２２２と挿入片２３２の裏面部から離間した状態で線状面域をもって摺接案内させながら当接支持したセット状態とすると共に、案内片２２２と挿入片２３２の表面部からプレート看板３の表面を面落ちしたセット状態とする、所謂、額縁として機能する。
【００１４】
この様に構成された看板装着装置２を金網フェンス１に組付け取着するにあたり、金網フェンス１の片面に組付けする際には、パネル部材２１の片面用ボルト挿通孔２１１に連結ボルト５１を挿入セットしておき、金網フェンス１の両面に背反して表裏一対として組付けする際には、両面用ボルト挿通孔２１２に連結ボルト５１を挿入セットしておく。片面用ボルト挿通孔２１１には連結ボルト５１には極低頭小ネジを用い、両面用ボルト挿通孔２１２には通常のものを用いており、テープなどを用いて抜け落ちないようにし、接着やボルト頭部が回り止め可能なものを用いて挿入セットしておくことが好ましい。
【００１５】
この状態でフェンス面の所望位置にパネル部材２１を面当てし、連結ボルト５１を、金網フェンス１の透かし空間を通して背面側に突出させ、この突出した連結ボルト５１に対して、片面組付けの場合は取付けプレート２４をセットし、両面組付けの場合は看板装着装置２（パネル部材２１）同士を背反してセットし、蝶ナット５２を締め付け操作すことで、両者を金網フェンス１の前面と背面の透かし空間（フェンスの厚さ空間）を挟んだ離間した状態で、フェンス面に弾圧状に圧接挟持させて組付け取着が完了する。なお、金網フェンス１が低い場合には、背面側からパネル部材２１を押さえながら組付け作業が行えるが、金網フェンス１が高い場合には、プレート看板３を抜け止め固定するためのビス孔２１３を利用してフックや針金を取付け、フェンス１の横列の棒状ワイヤー１１に引っ掛けて仮組付けしておき、蝶ナット５２により本固定する前に取り外すようにすれば、一人で背面側からの取付け作業が容易に行えようになっている。また、看板装着装置２を縦列の棒状ワイヤー１１側へ片面組付けする際には、左右の片面用ボルト挿通孔２１１を組みとして取付けプレート２４を縦方向にセットして取付ける様にしても良い。
【００１６】
金網フェンス１に組付け取着された看板装着装置２にプレート看板３を装着するには、プレート看板３を上方から案内溝２２ａに沿って差し込み挿入してセットする。その際、片面組付けの場合はパネル部材２１の表面に連結ボルト５１（極低頭小ネジ）の頭部が凸部５１ａとなって４個所に形成され、両面組付けの場合は片面用ボルト挿通孔２１１にビス孔隠しキャップやプッシュリベット５３などを挿着して凸部５１ａを形成することで、プレート看板３をパネル部材２１の表面と摺接しないように隙間をもって挿入案内することができるようになっている。なお、パネル部材２１の表面に形成させた凸部５１ａを連結ボルト５１の頭部に兼用したが、別途個別に設けるようにしても良い。
【００１７】
その後、プレート看板３のビス孔２１３の対応位置に穿設した孔に、抜け止め固定手段としてのプッシュリベット５３を押し込めば抜け止め固定が完了する。また、プッシュリベット５３は、ピンを押し込むだけで埋込み脚の先端が拡開して部材を固定することができ、押し込んだピンもマイナスドライバーで容易に引出して取り外しでき、プレート看板３の着脱操作も容易に行うことができる。なお、抜け止め固定手段としては、ビス孔２１３の裏面側にナットを固定してネジ止めするようにするなど、その機能を有する形態のものであれば良く、また、金網フェンス１の上胴縁が膨形状でプレート看板３そのまま差し込み挿入できない場合は蝶ナット５２を緩めて看板装着装置２を傾斜状態にすれば良い。
【００１８】
この様に、パネル部材２１の表面に凸部５１ａを形成すると、プレート看板３の摺接によるパネル部材２１表面への擦り傷発生が防止されると共に、プレート看板３が汎用的に用いられるアルミ複合板で製作されたものは板厚が３ｍｍであり、案内溝２２ａの溝幅が３．５ｍｍ、連結ボルト５１（極低頭小ネジ）の頭部（凸部５１ａ）が高さがＭ６で１．２ｍｍとなり、セットされたプレート看板３の中央が０．８ｍｍ分外方に押圧された状態で、周端縁部が支持片２２３と２３３の先端に線状圧接された状態となって、案内溝２２ａと挿入溝２３ａ内にガタツキなくセットされる。さらに、プッシュリベット５３により抜け止め固定することで、プレート看板３の上部側がパネル部材２１に湾曲押圧されて密接され、プレート看板３全体が僅かに湾曲状に撓んだ状態で装着されるため、支持片２２３と２３３に対して周端縁部が更に強く圧接（圧着）され、風雨などで煽りを受けてもガタツキや位置ズレが発生が確実に防止されて、強固な密接状態をもってその装着状態を維持することができる。なお、凸部５１ａの突出幅は使用されるプレート看板３の板厚との関係で相対的に設定すれば良い。
【００１９】
叙述の如く構成された本発明の実施の形態において、いま金網フェンス１にプレート看板３を着脱可能に装着するための看板装着装置２を組付け取着するのであるが、本発明における看板装着装置２は、金網フェンス１面に面当てされるパネル部材２１と、このパネル部材２１の両側端部および下端部（プレート看板３を装着するための面域となる端部）にそれぞれ取着された側枠部材２２、２２と下枠部材２３とを備え、側枠部材２２は、パネル部材２１に取着される固定片２２１と、パネル部材２１との間に案内溝２２ａを形成するよう固定片２２１からＬ字状に折曲されて、プレート看板３を挿入案内する案内片２２２とによって一体に形成されている。
【００２０】
そして、看板装着装置２を、金網フェンス１の片面に組付け取着する際には、その背面側に取付けプレート２４を配設し、または、金網フェンス１の両面に組付け取着する際には、パネル部材２１同士を背反して配設せしめて、それぞれを金網フェンス１を挟んで挿通されるボルト止め操作によりフェンス面に着脱自在に圧接挟持させて、金網フェンス１の片面または両面に対して選択的に組付け取着可能に構成する一方、プレート看板３を、当該金網フェンス１に取着された看板装着装置２に対して、その上方から案内溝２２ａに沿って差し込み挿入して、側枠部材２２（案内片２２２）と下枠部材２３（挿入片２３２）とによりその端縁部を支持した状態でセットし、かつ、その上部側をパネル部材２１に抜け止め固定手段（プッシュリベット５３）を介して装着せしめ、該抜け止め固定手段の脱離操作によって着脱可能に構成せしめている。
【００２１】
この様に構成すると、プレート看板３を金網フェンス１や格子フェンス等に取り付けするものでありながら、看板装着装置２を、金網フェンス１の透かし空間を利用して挿通される連結ボルト５１を介して、金網フェンス１への片面組付けと背反する両面組付けとの選択的な組付け配設パターンをもって、両者を金網フェンス１の厚さ空間を挟んで離間した状態で、フェンス面に弾圧状に確りと圧接挟持させた強固な組付け取着を行い得て、看板装着装置２を常設しておくことができるだけでなく、看板装着装置２自体の着脱作業もボルトナットの締結／脱離操作により、容易かつ短時間で行え、要・不要に応じた着脱や位置変更をすることができるので、金網、ワイヤー、メッシュ等のフェンスや、アルミ等の格子フェンスといった透かし空間を有して形成された多種多様のフェンスに対して、その透かし空間の形状や大きさ、厚さ空間幅等が異なっていても、汎用的に取り付けすることができ、また、フェンスだけでなく門扉や手摺りなどへの取り付けも可能となる。
【００２２】
しかも、プレート看板３は、上方から案内溝２２ａへ差し込み挿入してセットした後、プッシュリベット５３（抜け止め固定手段）を押し込むだけの簡単なワンタッチ操作により抜け止め固定した状態で、容易かつ短時間でセット作業を行うことができるだけでなく、プッシュリベット５３を取り外してプレート看板３を抜き取るだけの簡単な操作で取り外すことができるので、看板表示の要・不要に応じて容易に着脱操作することができ、長期間における装着は勿論、短期間で変更されるお知らせ情報や案内情報等の異なるサインが表示された種々のプレート看板３を、容易に取り替えセットできる掲示板としての機能をも兼ね備えることができる。
さらに、セットされたプレート看板３の周端縁部が側枠部材２２（案内片２２２）と下枠部材２３（挿入片２３２）とにより支持されているので、その上部側を抜け止め固定する抜け止め固定手段も、ネジ止め／外し操作によらないプッシュリベット５３などの簡易型のものを採用でき、かつ、ガタツキが無く風雨などで外れてしまう危惧が払拭できると共に、プッシュリベット５３が裏面側に突出してもフェンス厚さ幅内で吸収することができるだけでなく、プレート看板３を取り外した状態では、看板を装着できる場所であることを示す機能を併せ持つことができる。
【００２３】
また、パネル部材２１には、プレート看板３を案内溝２２ａに沿って差し込み挿入する際に、パネル部材２１の表面と隙間をもって挿入案内する凸部５１ａ（連結ボルト５１やプッシュリベット５３の頭部、ビス孔隠しキャップなど）が複数設けられており、さらに、案内片２２２には、案内溝２２ａ内に挿入されたプレート看板３の端縁部を、案内片２２２の裏面部から離間した状態で当接支持するよう内方に折曲せしめた支持片２２３が形成されているので、プレート看板３の摺接によるパネル部材２１表面への擦り傷発生を防止することができると共に、セットされたプレート看板３の中央が外方に湾曲押圧された状態で、その３周端縁部が案内片２２２の支持片２２３と挿入片２３２の支持片２３３の先端部に線状圧接させた状態をもって、案内溝２２ａと挿入溝２３ａ内にガタツキなくセットすることができ、しかも、案内片２２２と挿入片２３２の表面部からプレート看板３の表面を面落ちしたセット状態とする、所謂、額縁として機能する。
【００２４】
また、プレート看板３は、抜け止め固定手段をプッシュリベット５３とし、該プッシュリベット５３を挿着することにより抜け止め固定して装着せしめ、取り外しによる脱離操作によって着脱可能に構成されるので、既に案内溝２２ａと挿入溝２３ａ内にセットされた状態のプレート看板３を抜け止め固定するだけで良く、ネジ止め等の強固に固定するものを採用する必要が無く、簡易な固定が行えるプッシュリベット５３が採用できので、そのピンを押し込むだけのワンタッチ操作でプレート看板３を容易に固定することができると共に、押し込み固定したピンもマイナスドライバーで引出すタイプのものや、ピンを更に押し込むタイプ（ワンタッチ外し）のものなどにより、容易に取り外しできるので、ネジ止めやネジ外し操作に比し、その煩わしさを払拭でき、プレート看板３の着脱操作も極めて容易かつ短時間で行うことができる。
【００２５】
また、パネル部材２１には、その中央面域に取付けプレート２４を取着するための片面用ボルト挿通孔２１１と、側枠部材２２の固定片２２１に看板装着装置２を背反して配設するための両面用ボルト挿通孔２１２とが複数穿設される共に、片面用ボルト挿通孔２１１の上部側にプレート看板３を抜け止め固定するためのビス孔２１３が穿設されている。
そのため、看板装着装置２を、金網フェンス１の片面に組付けする際には片面用ボルト挿通孔２１１を選択し、金網フェンス１の両面に背反して表裏一対として組付けする際には、両面用ボルト挿通孔２１２を選択して、金網フェンス１への片面組付けと背反する両面組付けとの選択的な組付け配設パターンをもって装着することができるだけでなく、ビス孔２１３にプッシュリベット５３のピンを押し込むだけのワンタッチ操作と取り外し操作によって、プレート看板３を極めて容易かつ短時間で着脱することができる。しかも、ビス孔２１３は、看板装着装置２を取り付ける際に、フックや針金を挿入して、フェンス１の横列の棒状ワイヤー１１に引っ掛けて仮組付けしておく引っ掛け孔として利用することができ、蝶ナット５２により本固定する前に取り外すようにすれば、高い金網フェンス１であっても一人で背面側からの取付け作業が容易に行うことができる。
【００２６】
また、パネル部材２１と取付けプレート２４、または、背反されるパネル部材２１同士は、パネル部材２１から挿入される連結ボルト（片面用ボルト挿通孔２１１、両面用ボルト挿通孔２１２）に対して、蝶ナット５２の締め付け操作で、それぞれフェンス面に圧接挟持させて組付け取着されているので、金網フェンス１の厚さ空間を挟んで離間した状態でフェンス面に強固に弾圧させた状態で確りと組付け取着して常設しておくことができ、かつ、看板装着装置２自体の着脱作業も蝶ナット５２の締結／脱離操作により、容易かつ短時間で行うことができる。
【符号の説明】
【００２７】
１      金網フェンス
１１    棒状ワイヤー
２      看板装着装置
２１    パネル部材
２１１  片面用ボルト挿通孔
２１２  両面用ボルト挿通孔
２１３  ビス孔
２２    側枠部材
２２ａ  案内溝
２２１  固定片
２２２  案内片
２２３  支持片
２３    下枠部材
２３ａ  挿入溝
２３１  固定片
２３２  挿入片
２３３  支持片
２４    取付けプレート
２４１  長孔
３      プレート看板
４      リベット
５１    連結ボルト
５１ａ  凸部
５２    蝶ナット
５３    プッシュリベット
【図１】
2016099530.tif 000003
【図２】
2016099530.tif 000004
【図３】
2016099530.tif 000005
【図４】
2016099530.tif 000006